(57)【要約】【課題】ＦＡＸ部のメモリの使用効率を向上させ、なおかつ分割印刷処理したデータを複合機通信管理部において１ページのデータとして保存することができる複合機及び複合機通信管理部の制御方法を提供する。【解決手段】本発明は、ＦＡＸ機能を備える複合機１００と、複合機１００と同一のネットワーク上に接続され、複合機１００のＦＡＸ受信文書データのバックアップデータの保存を行う複合機通信管理部３００とを制御する方法であって、複合機１００側では、１ページ分として受信したＦＡＸ受信文書データを１ページに印刷できないとき複数ページにわたって分割印刷処理すると共に、複数ページそれぞれのバックアップデータを複合機通信管理部３００に対して送信する処理を行うように制御し、複合機通信管理部３００側では、複合機１００から送信された該複数ページのバックアップデータを１ページ分のバックアップデータとして保存するように制御する。【選択図】図１
2008172397.tif 000002
【特許請求の範囲】
【請求項１】
ＦＡＸ機能を備える複合機と、該複合機と同一のネットワーク上に接続され、該複合機のＦＡＸ受信文書データのバックアップデータの保存を行う複合機通信管理部とを制御する方法であって、該複合機側では、１ページ分として受信したＦＡＸ受信文書データを１ページに印刷できないとき複数ページにわたって分割印刷処理すると共に、複数ページそれぞれのバックアップデータを該複合機通信管理部に対して送信する処理を行うように制御し、該複合機通信管理部側では、該複合機から送信された該複数ページのバックアップデータを１ページ分のバックアップデータとして保存するように制御することを特徴とする複合機及び複合機通信管理部の制御方法。
【請求項２】
該複数ページの２ページ目以降のデータの先頭には重ね合わせに係るデータが存在することを特徴とする請求項１に記載の複合機及び複合機通信管理部の制御方法。
【請求項３】
該複合機から該複合機通信管理部には該重ね合わせの重ね合わせ幅に係る情報を通知することを特徴とする請求項２に記載の複合機及び複合機通信管理部の制御方法。
【請求項４】
該複合機通信管理部側では、該複合機から送信された該複数ページのバックアップデータから重ね合わせに係るデータを除去して１ページ分のバックアップデータとして保存するように制御することを特徴とする請求項２又は請求項３に記載の複合機及び複合機通信管理部の制御方法。
【請求項５】
該複合機通信管理部側では、該複合機から送信されたバックアップデータのうち、未保存のバックアップデータだけを保存するように制御することを特徴とする請求項１乃至請求項４に記載の複合機及び複合機通信管理部の制御方法。
【請求項６】
該複合機側で、プリンタエラーが発生した場合、印刷処理と該複合機通信管理部へバックアップデータの送信処理を中止することを特徴とする請求項５に記載の複合機及び複合機通信管理部の制御方法。
【請求項７】
該複合機側で、プリンタエラーが解消した場合、未完了印刷ページからの印刷処理と該複合機通信管理部への送信処理を再開することを特徴とする請求項５又は請求項６に記載の複合機及び複合機通信管理部の制御方法。
【請求項８】
ＦＡＸ機能を備える複合機と、該複合機と同一のネットワーク上に接続され、該複合機のＦＡＸ受信文書データのバックアップデータの保存を行う複合機通信管理部とからなる複合機システムであって、該複合機側では、１ページ分として受信したＦＡＸ受信文書データを１ページに印刷できないとき複数ページにわたって分割印刷処理すると共に、複数ページそれぞれのバックアップデータを該複合機通信管理部に対して送信する処理を行うように制御し、該複合機通信管理部側では、該複合機から送信された該複数ページのバックアップデータを１ページ分のバックアップデータとして保存するように制御することを特徴とする複合機及び複合機通信管理部からなる複合機システム。
【請求項９】
該複数ページの２ページ目以降のデータの先頭には重ね合わせに係るデータが存在することを特徴とする請求項８に記載の複合機及び複合機通信管理部からなる複合機システム。
【請求項１０】
該複合機から該複合機通信管理部には該重ね合わせの重ね合わせ幅に係る情報を通知することを特徴とする請求項９に記載の複合機及び複合機通信管理部からなる複合機システム。
【請求項１１】
該複合機通信管理部側では、該複合機から送信された該複数ページのバックアップデータから重ね合わせに係るデータを除去して１ページ分のバックアップデータとして保存するように制御することを特徴とする請求項９又は請求項１０に記載の複合機及び複合機通信管理部からなる複合機システム。
【請求項１２】
該複合機通信管理部側では、該複合機から送信されたバックアップデータのうち、未保存のバックアップデータだけを保存するように制御することを特徴とする請求項８乃至請求項１１に記載の複合機及び複合機通信管理部からなる複合機システム。
【請求項１３】
該複合機側で、プリンタエラーが発生した場合、印刷処理と該複合機通信管理部へバックアップデータの送信処理を中止することを特徴とする請求項１２に記載の複合機及び複合機通信管理部からなる複合機システム。
【請求項１４】
該複合機側で、プリンタエラーが解消した場合、未完了印刷ページからの印刷処理と該複合機通信管理部への送信処理を再開することを特徴とする請求項１２又は請求項１３に記載の複合機及び複合機通信管理部からなる複合機システム。
【請求項１５】
１ページ分として受信したＦＡＸ受信文書データを１ページに印刷できないとき複数ページにわたって分割印刷処理すると共に、該複数ページの２ページ目以降のデータの先頭には重ね合わせに係るデータを設けて、該複数ページそれぞれのバックアップデータを同一のネットワーク上に接続される複合機通信管理部に送信することを特徴とする複合機。
【請求項１６】
該複合機通信管理部には該重ね合わせの重ね合わせ幅に係る情報を通知することを特徴とする請求項１５に記載の複合機。
【請求項１７】
１ページ分として受信したＦＡＸ受信文書データを１ページに印刷できないとき複数ページにわたって分割印刷処理すると共に、該複数ページの２ページ目以降のデータの先頭には重ね合わせに係るデータを設けて、該複数ページそれぞれのバックアップデータを送信する複合機から、該重ね合わせの重ね合わせ幅に係る情報の通知を受信すると共に、該複数ページのバックアップデータから重ね合わせに係るデータを除去して１ページ分のバックアップデータとして保存することを特徴とする複合機通信管理部。
【発明の詳細な説明】
【技術分野】
【０００１】
本発明は、記録媒体に印刷を行うプリンタ機能、原稿の読み取りを行うスキャナ機能、さらにＦＡＸ文書の送受信を行うＦＡＸ機能を備える複合機及びこの複合機のＦＡＸ機能に係る管理を行う複合機通信管理部の制御方法などに関する。
【背景技術】
【０００２】
スキャナ及びプリンタを備えたデジタル複合機（以下、単に複合機という）と呼ばれる装置がある。この複合機では、スキャナが画像を取り込むスキャナ機能、プリンタが印刷を行う印刷機能、及びスキャナが読み取った画像をプリンタが印刷するコピー機能などを備える。近年、この複合機にさらにＦＡＸ送受信機能を備えたものが登場している。
【０００３】
このようなＦＡＸ文書の送受信機能を備えた複合機においては、エンベディド型として知られているものがある。エンベディド型の複合機は、印刷を実行したＦＡＸ受信文書のバックアップを保存する機能等を内蔵しているものである。これに対して、ＦＡＸ送受信機能を備えた複合機とは別体に設けられた、当該複合機とネットワーク接続されたパーソナルコンピュータ等に、ＦＡＸ受信文書のデータを転送して、通信履歴のバックアップをとるようなシステム（ＦＡＸサーバー、ＦＡＸ通信管理部などとして知られている。）が例えば特許文献１に開示されている。
【特許文献１】特願２００６−６９７９号公報
【発明の開示】
【発明が解決しようとする課題】
【０００４】
エンベディド型の複合機においては、ＦＡＸ受信文書のバックアップを保存する機能等を内蔵しているため、ＦＡＸ受信文書を印刷すると印刷済みデータをネットワーク上のＦＡＸサーバーやＦＡＸ通信管理部に送信する、という概念が存在しない。
【０００５】
これに対して、特許文献１に記載されているようなＦＡＸサーバーやＦＡＸ通信管理部からなるシステムにおいては、複合機でＦＡＸ受信文書を印刷すると、印刷済みのデータをＦＡＸサーバーやＦＡＸ通信管理部にデータ転送して、保存するという概念が存在する。
【０００６】
ところで、複合機において、１ページとして受信したＦＡＸ受信文書データが１枚の印刷用紙に納まらないような場合、１ページ分のデータを複数枚の印刷用紙に分割して印刷する必要がある。このようなときにおいても、電子データという形態で保存を行うＦＡＸサーバーやＦＡＸ通信管理部には１ページのデータとして保存をしておきたい、というニーズが存在する。ところが従来のＦＡＸサーバーやＦＡＸ通信管理部からなるシステムでは、上記のように分割印刷したデータを一つにまとめて保存する、という機能がなく問題となっていた。
【０００７】
一方、複合機のプリンタ部での分割印刷処理と、複合機からＦＡＸサーバー（或いは、ＦＡＸ通信管理部）への保存処理とを逐次処理にすると、ＦＡＸ受信文書データを長時間メモリ上に保持し続ける必要があり、メモリの使用効率が低下する（次のＦＡＸ受信でメモリ不足が発生しやすくなる等）といった問題が発生する、という問題がある。
【課題を解決するための手段】
【０００８】
本発明は、上記のような各問題に対処するために、複合機のプリンタ部での分割印刷処理とＦＡＸサーバーやＦＡＸ通信管理部への保存処理を並行処理としつつ、分割印刷処理したデータをＦＡＸサーバーやＦＡＸ通信管理部には１ページのデータとして保存できるようにするものであり、そのために、請求項１に係る発明は、ＦＡＸ機能を備える複合機と、該複合機と同一のネットワーク上に接続され、該複合機のＦＡＸ受信文書データのバックアップデータの保存を行う複合機通信管理部とを制御する方法であって、該複合機側では、１ページ分として受信したＦＡＸ受信文書データを１ページに印刷できないとき複数ページにわたって分割印刷処理すると共に、複数ページそれぞれのバックアップデータを該複合機通信管理部に対して送信する処理を行うように制御し、該複合機通信管理部側では、該複合機から送信された該複数ページのバックアップデータを１ページ分のバックアップデータとして保存するように制御することを特徴とする複合機及び複合機通信管理部の制御方法である。
【０００９】
また、請求項２に係る発明は、請求項１に記載の複合機及び複合機通信管理部の制御方法であって、該複数ページの２ページ目以降のデータの先頭には重ね合わせに係るデータが存在することを特徴とする。
【００１０】
また、請求項３に係る発明は、請求項２に記載の複合機及び複合機通信管理部の制御方法であって、該複合機から該複合機通信管理部には該重ね合わせの重ね合わせ幅に係る情報を通知することを特徴とする。
【００１１】
また、請求項４に係る発明は、請求項２又は請求項３に記載の複合機及び複合機通信管理部の制御方法であって、該複合機通信管理部側では、該複合機から送信された該複数ページのバックアップデータから重ね合わせに係るデータを除去して１ページ分のバックアップデータとして保存するように制御することを特徴とする。
【００１２】
また、請求項５に係る発明は、請求項１乃至請求項４に記載の複合機及び複合機通信管理部の制御方法であって、該複合機通信管理部側では、該複合機から送信されたバックアップデータのうち、未保存のバックアップデータだけを保存するように制御することを特徴とする。
【００１３】
また、請求項６に係る発明は、請求項５に記載の複合機及び複合機通信管理部の制御方法であって、該複合機側で、プリンタエラーが発生した場合、印刷処理と該複合機通信管理部へバックアップデータの送信処理を中止することを特徴とする。
【００１４】
また、請求項７に係る発明は、請求項５又は請求項６に記載の複合機及び複合機通信管理部の制御方法であって、該複合機側で、プリンタエラーが解消した場合、未完了印刷ページからの印刷処理と該複合機通信管理部への送信処理を再開することを特徴とする。
【００１５】
また、請求項８に係る発明は、ＦＡＸ機能を備える複合機と、該複合機と同一のネットワーク上に接続され、該複合機のＦＡＸ受信文書データのバックアップデータの保存を行う複合機通信管理部とからなる複合機システムであって、該複合機側では、１ページ分として受信したＦＡＸ受信文書データを１ページに印刷できないとき複数ページにわたって分割印刷処理すると共に、複数ページそれぞれのバックアップデータを該複合機通信管理部に対して送信する処理を行うように制御し、該複合機通信管理部側では、該複合機から送信された該複数ページのバックアップデータを１ページ分のバックアップデータとして保存するように制御することを特徴とする複合機及び複合機通信管理部からなる複合機システムである。
【００１６】
また、請求項９に係る発明は、請求項８に記載の複合機及び複合機通信管理部からなる複合機システムであって、該複数ページの２ページ目以降のデータの先頭には重ね合わせに係るデータが存在することを特徴とする。
【００１７】
また、請求項１０に係る発明は、請求項９に記載の複合機及び複合機通信管理部からなる複合機システムであって、該複合機から該複合機通信管理部には該重ね合わせの重ね合わせ幅に係る情報を通知することを特徴とする。
【００１８】
また、請求項１１に係る発明は、請求項９又は請求項１０に記載の複合機及び複合機通信管理部からなる複合機システムであって、該複合機通信管理部側では、該複合機から送信された該複数ページのバックアップデータから重ね合わせに係るデータを除去して１ページ分のバックアップデータとして保存するように制御することを特徴とする。
【００１９】
また、請求項１２に係る発明は、請求項８乃至請求項１１に記載の複合機及び複合機通信管理部からなる複合機システムであって、該複合機通信管理部側では、該複合機から送信されたバックアップデータのうち、未保存のバックアップデータだけを保存するように制御することを特徴とする。
【００２０】
また、請求項１３に係る発明は、請求項１２に記載の複合機及び複合機通信管理部からなる複合機システムであって、該複合機側で、プリンタエラーが発生した場合、印刷処理と該複合機通信管理部へバックアップデータの送信処理を中止することを特徴とする。
【００２１】
また、請求項１４に係る発明は、請求項１２又は請求項１３に記載の複合機及び複合機通信管理部からなる複合機システムであって、該複合機側で、プリンタエラーが解消した場合、未完了印刷ページからの印刷処理と該複合機通信管理部への送信処理を再開することを特徴とする。
【００２２】
また、請求項１５に係る発明は、１ページ分として受信したＦＡＸ受信文書データを１ページに印刷できないとき複数ページにわたって分割印刷処理すると共に、該複数ページの２ページ目以降のデータの先頭には重ね合わせに係るデータを設けて、該複数ページそれぞれのバックアップデータを同一のネットワーク上に接続される複合機通信管理部に送信することを特徴とする複合機である。
【００２３】
また、請求項１６に係る発明は、請求項１５に記載の複合機であって、該複合機通信管理部には該重ね合わせの重ね合わせ幅に係る情報を通知することを特徴とする。
【００２４】
また、請求項１７に係る発明は、１ページ分として受信したＦＡＸ受信文書データを１ページに印刷できないとき複数ページにわたって分割印刷処理すると共に、該複数ページの２ページ目以降のデータの先頭には重ね合わせに係るデータを設けて、該複数ページそれぞれのバックアップデータを送信する複合機から、該重ね合わせの重ね合わせ幅に係る情報の通知を受信すると共に、該複数ページのバックアップデータから重ね合わせに係るデータを除去して１ページ分のバックアップデータとして保存することを特徴とする複合機通信管理部である。
【００２５】
本発明によれば、ＦＡＸ受信文書データを不必要に長時間ＦＡＸ部のメモリ上に保持し続けることがないため、メモリの使用効率が向上し、したがって、ＦＡＸ受信文書の印刷処理速度を低下させることがない。また、本発明によれば、分割印刷処理したデータを複合機通信管理部において１ページのデータとして保存することができる。
【発明を実施するための最良の形態】
【００２６】
以下、本発明の実施の形態を図面を参照しつつ説明する。図１は本発明の実施の形態に係る複合機及び複合機通信管理部のシステム構成を示す図である。図１において、１０はＬＡＮ、ＷＡＮなどのネットワーク、１００は複合機、１１０は複合機の主制御を行う制御部、１１１は制御部メモリ、１２０はＦＡＸ文書の送受信を行うＦＡＸ部、１２１はＦＡＸ部メモリ、１３０は記録媒体への印刷を行うプリンタ部、１４０は原稿の読み取りを行うスキャナ部、１５０はユーザーとのインターフェイスとなるパネル部、２００はパーソナルコンピュータ、２１０はＦＡＸ連携ソフトウエア、３００は複合機通信管理部をそれぞれ示している。
【００２７】
本発明のシステムは、複合機通信管理部３００と、クライアントなどのパーソナルコンピュータ２００と、デジタル複合機（以下、単に複合機という）５とが、ネットワーク１０９を介して接続されている。パーソナルコンピュータ２００及び複合機１００は、１台の複合機通信管理部３００に対して複数台接続することができる。
【００２８】
複合機１００は、情報処理装置からなる複合機本体の主制御を行う制御部１１０と、ユーザーの入力操作を受け付ける入出力装置であるパネル部１５０と、原稿・画像をスキャンして読み込むスキャナ部１４０と、印刷用紙等に印刷を行うプリンタ部１３０と、ＦＡＸ送受信を行うＦＡＸ部１２０とを備える。つまり、複合機１００は、スキャナ機能、印刷機能、スキャナ機能と印刷機能を組み合わせたコピー機能及びＦＡＸ送受信機能を備えるものである。
【００２９】
複合機通信管理部３００、複数のパーソナルコンピュータ２００、複合機１００の情報処理機構は、いずれも例えば汎用的なコンピュータシステムにより構成され、個々の構成要素または機能は、例えば、記憶手段に書き込まれたコンピュータプログラムを実行することにより実現される。
【００３０】
ＦＡＸ部１２０は、不図示の公衆回線網と接続されていて、ＦＡＸの送受信を行うＦＡＸ送受信部（不図示）と、ＦＡＸ送受信部が送信するための送信データを一時記憶する送信バッファ及びＦＡＸ送受信部が受信した受信データを一時記憶する受信バッファを構成するためのＦＡＸ部メモリ１２１などを備えている。このようなＦＡＸ部メモリ１２１には、送受信結果を示す通信結果データを記憶した通信結果ログなども記憶されるものである。
【００３１】
ＦＡＸ部１２０は、スキャナ部１４０が読み取った画像データを制御部１１０から受信すると、一旦ＦＡＸ部メモリ１２１に蓄積して、ＦＡＸ送信する。送信が完了すると、ＦＡＸ部１２０は、ＦＡＸ部メモリ１２１に蓄積されている送信済みデータを消去する。
【００３２】
また、ＦＡＸ部１２０は、公衆回線網からＦＡＸ送信されてきたデータを受信すると、その受信データをＦＡＸ部メモリ１２１に一旦格納する。そして、ＦＡＸ部メモリ１２１に格納された受信データは、制御部１１０へ送られて、プリンタ部１３０で印刷される。ＦＡＸ部１２０が、プリンタ部１３０で印刷済みの受信データをＦＡＸ部メモリ１２１から消去するタイミングについては後述するような制御による。
【００３３】
ここで、ＦＡＸ部１２０は、複合機１００内の他の構成とは独立にＦＡＸ送受信を行う。つまり、ＦＡＸ部１２０は、複合機１００から送信データを受け付けると、複合機１００とは独立にＦＡＸ送信を行うし、公衆回線網からＦＡＸデータが送信されてくれば、それを受信する。従って、後述するように、例えば、ネットワーク１０で何らからトラブルが生じているような場合でも、ＦＡＸ部１２０は、それとは無関係にＦＡＸの送受信を行うことができるように構成される。
【００３４】
複合機１００は、ネットワーク１０を介して接続された複合機通信管理部３００等と通信を行う不図示のネットワーク１０用のインタフェースや、パネル部１５０、スキャナ部１４０、プリンタ部１３０及びＦＡＸ部１２０を制御する制御部１１０なども備える。
【００３５】
ネットワーク１０用のインタフェースは、複合機通信管理部３００へ通信結果ログ及びＦＡＸデータ（送信データ及び受信データ）を送信する。
【００３６】
制御部１１０は、パネル部１５０からのＦＡＸ送信指示を受け付けて、スキャナ部１４０に対して画像読み取り指示を行って、スキャナ部１４０が読み取った画像データを取得する。この画像データは、制御部メモリ１１１に格納される。制御部１１０は、さらに、ＦＡＸ部１２０が公衆回線網から受信した受信データを、ＦＡＸ部１２１から取得して、制御部メモリ１１１に格納してから、プリンタ部３００に送信する。なお、本発明においては、制御部メモリ１１１は少なくとも文書１ページ分の記憶容量を有するものとする。      
【００３７】
複合機通信管理部３００は、背景技術の欄において説明したＦＡＸサーバーやＦＡＸ通信管理部に相当するものであるが、本明細書においては、複合機通信管理部３００が複合機１００の通信管理を行う、という観点から、これを「複合機通信管理部」と称することとする。なお、本発明の「複合機通信管理部」は、従来のＦＡＸサーバーやＦＡＸ通信管理部などの概念を包含するものである。
【００３８】
複合機通信管理部３００は、具体的にはパーソナルコンピュータなどの汎用的なコンピュータシステムにより構成され、当該パーソナルコンピュータに記憶されるプログラムを実行することにより実現されるものである。
【００３９】
複合機通信管理部３００は、ネットワーク１０を介して接続されたパーソナルコンピュータ２００及び複合機１００と通信を行うネットワーク１０用のインタフェースと、ＦＡＸ通信結果ログ（不図示）と、バックアップデータ記憶部（不図示）とを備えているものである。
【００４０】
複合機通信管理部３００のネットワーク１０用のインタフェースは、例えば、複合機１００から送られてくる通信結果データ及びＦＡＸデータを受信する。そして、ネットワーク１０用のインタフェースは、通信結果データは通信結果ログに蓄積し、ＦＡＸデータは、バックアップデータ記憶部に格納する。ネットワーク１０用のインタフェースが複合機１００からのデータを受信すると、受信確認を返信する。
【００４１】
複合機通信管理部３００は、複合機１００から送られてくる通信結果データやＦＡＸデータを記憶することに加えて、複合機１００のスキャナ部１４０でスキャンした画像データを記憶できるように構成してもよい。また、複合機通信管理部３００の通信結果データやＦＡＸデータを利用可能なユーザーを個人認証などの機能により限定することで、複合機通信管理部３００に記憶されるデータの保護を図ることもできる。
【００４２】
パーソナルコンピュータ２００には、複合機通信管理部３００の機能を設定したり、複合機通信管理部３００のＦＡＸ通信結果ログやバックアップデータ記憶部などからユーザーが所望するデータの検索を行ったりすることが可能なＦＡＸ連携ソフトウエア２１０がインストールされる。
【００４３】
本発明の実施の形態に係る複合機及び複合機通信管理部のシステム構成は以上の通りであり、このようなシステム構成に基づく、本発明の実施の形態に係る複合機及び複合機通信管理部の制御方法について説明する。なお、次に説明する制御方法においては、プリンタ部１３０で分割印刷処理を行わない場合につき説明する。
【００４４】
図６は、本発明の実施の形態に係る複合機及び複合機通信管理部の制御シーケンスを示す図である。図６におけるシーケンス図は、複合機１００のＦＡＸ部１２０がＦＡＸ文書を受信し、それをプリンタ部１３０で印刷中にｎページ目にエラーが発生したときの制御を示すものである。
【００４５】
まずステップＳ６００において、複合機１００の制御部１１０が、ＦＡＸ部１２０の受信完了の通知を受けると、ステップＳ６０１において、制御部１１０によってプリンタ部１３０に対してＦＡＸ印刷開始の指示がなされる。ステップＳ６０２でＦＡＸ部１２０から制御部１１０に１ページ目の文書データが送信される。すると制御部１１０は、送信された文書データによってステップＳ６０３で、プリンタ部１３０に対して印刷指示を発する。本実施形態においては、次のステップＳ６０４の段階で１ページ目のＦＡＸ通信結果ログとバックアップデータ（以下、これらを総称して「ＦＡＸバックアップデータ」という。）を複合機通信管理部３００に送信する。
【００４６】
ステップＳ６０２乃至ステップＳ６０４と同様のステップを繰り返すことによって、ＦＡＸ部１２０→制御部１１０→プリンタ部１３０というようにデータを受け渡し印刷を行い、制御部１１０から複合機通信管理部３００にＦＡＸバックアップデータを送信する。（ステップＳ６０５乃至ステップＳ６０７参照。）
ＦＡＸ部メモリ１２１のデータ破棄のタイミングは、次に説明するようにプリンタ部１３０での印刷が完了したことを契機に行われる。すなわち、ステップＳ６０８で、プリンタ部１３０から制御部１１０に、（ｎ−１）ページ目の印刷が完了したことが通知される。すると、ステップＳ６０８で、制御部１１０はＦＡＸ部１２０に対して、ＦＡＸ部メモリ１２１の（ｎ−１）ページ目のデータの消去を要求する。
【００４７】
次に、本実施形態においてプリンタ部１３０でエラーが発生した場合について説明する。制御部１１０がステップＳ６１０でプリンタ部１３０のエラーが発生した旨の通知を受けると、ステップＳ６１１において制御部１１０はパネル部１５０でエラー表示を行い、ユーザーにエラー解消を促す。また、ステップＳ６１２において制御部１１０はプリンタ部１３０にＦＡＸ印刷の中止を通知する。
【００４８】
ユーザーがエラーを解消すると、プリンタ部１３０はその旨、ステップＳ６１３で制御部１１０に通知する。ステップＳ６１４で制御部１１０はパネル部１５０にプリンタエラーが解消された旨表示させる。
【００４９】
ステップＳ６１５においては、制御部１１０はプリンタ部１３０にＦＡＸ印刷の再開を通知する。ステップＳ６１６で再び、制御部１１０はＦＡＸ部１２０からｎページ目の文書データを受信すると、ステップＳ６１７で、プリンタ部１３０に対して印刷指示を発する。本発明の制御シーケンスにおいては、ステップＳ６１８で、ｎページ目のＦＡＸバックアップデータを複合機通信管理部３００に送信する。ところで、図６において省略されている制御シーケンスの中には、ｎページ目のＦＡＸバックアップデータを複合機通信管理部３００に送信する、というものが含まれている。つまり、ステップＳ６１８で、複合機通信管理部３００に対して送信されたｎページ目のＦＡＸバックアップデータは、複合機通信管理部３００に既に存在しているものである。したがって、このような場合には、複合機通信管理部３００は重複するｎページ目のＦＡＸバックアップデータを読み捨てるように設定される。
【００５０】
プリンタ部１３０でｎページの文書データの印刷が完了すると、ステップＳ６１９でプリンタ部１３０は制御部１１０に対して印刷完了の通知を行う。ステップＳ６２０で、ＦＡＸ部メモリ１２１上のｎページ目のＦＡＸ文書データを消去するよう要求する。全文書データの印刷が完了すると、ステップＳ６２１では、制御部１１０はプリンタ部１３０に対してＦＡＸ印刷が終了した旨通知する。
【００５１】
以上のような本発明の複合機及び複合機通信管理部の制御シーケンスによって、（I）、（II）、（III）からなる３ページの文書を印刷した場合の動作タイミングを示す。図７は、本発明の実施の形態に係る複合機及び複合機通信管理部の制御による各部の動作タイミングを示す図である。図７は、３ページの文書の印刷中、プリンタ部１３０のエラーが発生しなかった場合の動作タイミングを示している。
【００５２】
図７において、最上段は公衆回線網から複合機１００のＦＡＸ部１２０（ＦＡＸ部メモリ１２１）へのデータ転送タイミングを、また、第２段目はＦＡＸ部１２０（ＦＡＸ部メモリ１２１）から制御部１１０（制御部メモリ１１１）へのデータ転送タイミングを、また、第３段目は制御部１１０（制御部メモリ１１１）からプリンタ部１３０へのデータ転送タイミングを、また、第４段目はプリンタ部１３０における実印刷タイミングを、また、最下段は複合機１００の制御部１１０から複合機通信管理部３００へのデータ転送タイミングをそれぞれ示している。
【００５３】
本発明の複合機及び複合機通信管理部の制御シーケンスは、プリンタ部１３０での印刷と複合機通信管理部３００での保存を非同期で並行処理した場合のシーケンスである。
【００５４】
本発明の制御シーケンスによれば、ページの印刷が完了した時点でＦＡＸ部メモリ１２１の同ページに係るデータを消去できる。また、複合機通信管理部３００側では、既に保存済みページのＦＡＸバックアップデータを破棄する、という仕組みを設けておくだけで、同一ページの２重保存を防止できる。
【００５５】
このような本発明の複合機及び複合機通信管理部の制御方法に、複合機及び複合機通信管理部からなる複合機システム、複合機、複合機通信管理部よれば、ＦＡＸ受信文書の印刷処理速度を低下させる（＝ＦＡＸ受信文書データを不必要に長時間ＦＡＸ部メモリ１２１上に保持し続ける）ことなく、プリンタエラー発生後も適切なリカバリ処理（＝複合機通信管理部３００で保存していないページだけを保存すること）が可能となる。
【００５６】
次に、以上のような制御シーケンスで複合機及び複合機通信管理部を動作させるための制御フローについて説明する。
【００５７】
図８は、本発明の複合機における制御部のＦＡＸ受信文書印刷に係る制御のフローチャートを示す図であり、図９は、本発明の複合機通信管理部のＦＡＸバックアップデータ保存に係る制御のフローチャートを示す図である。以下、これらのフローチャートについて説明する。
【００５８】
図８において、複合機１００のＦＡＸ部１２０がＦＡＸ文書Ｘを受信した後、ステップＳ８００でフローチャートの処理が開始される。次に、ステップＳ８０１において、制御部１１０はプリンタ部１３０に対して印刷開始の指示を発する。
【００５９】
ステップＳ８０２に進み、プリンタ部１３０にエラーがないかが判定される。ステップＳ８０２でエラーがないと判断されると、ステップＳ８０３に進み、エラーがないと判断されると、エラー処理のためにステップＳ８１１へと進む。
【００６０】
ステップＳ８０３においては、ＦＡＸ文書Ｘのうちｎページ目の印刷が完了しているかどうかが判定される。ステップ８０３において、第ｎページ目の印刷が完了していないと判断されると、続いてステップＳ８０５へと進む。ステップ８０３において、第ｎページ目の印刷が完了していると判断されると、ステップＳ８０４へと進み、ステップＳ８０４でＦＡＸ部１２０のＦＡＸ部メモリ１２１上の第ｎページの文書データが消去される。このように本発明のＦＡＸ受信文書印刷に係る制御のフローにおいては、印刷完了ページが存在すれば速やかにＦＡＸ部メモリ１２１上の当該ページデータを消去するようになっている。
【００６１】
ステップＳ８０５においては、ＦＡＸ部１２０のＦＡＸ部メモリ１２１上に未印刷の残ページがあるかどうかが判定される。ステップＳ８０５で残ページがないと判定されると、ステップＳ８０９へと進む。ステップＳ８０５で残ページがあると判定されると、ステップＳ８０６へと進み、ステップＳ８０６で制御部１１０はＦＡＸ部１２０のＦＡＸ部メモリ１２１から未印刷のページを読み出し、続いてステップＳ８０７で、これをプリンタ部１３０に転送する。ステップＳ８０７でプリンタ部１３０にデータを送信すると、ステップＳ８０７で複合機通信管理部３００にＦＡＸバックアップデータを送信する。このように、本発明においては、プリンタ部１３０へのデータ送信に引き続き、速やかに複合機通信管理部３００にＦＡＸバックアップデータが送信されるような制御シーケンスとなっている。
【００６２】
ステップＳ８０９においては、プリンタ部１３０に印刷未完了のページがないかどうかが判定される。ステップＳ８０９において、印刷未完了のページがないと判定されると、ステップＳ８１０へと進み、制御部１１０はプリンタ部１３０に印刷終了指示を発し、ステップＳ８１５で、ＦＡＸ文書Ｘの印刷処理を終了する。ステップＳ８０９において、印刷未完了のページがあると判定されると、ステップＳ８０２へと進む。
【００６３】
ステップＳ８０２において、プリンタ部１３０にエラーがあると判定され、ステップＳ８１１のエラー処理へと進んだ場合について説明する。ステップＳ８１１において、御部１１０はパネル部１５０にエラー表示を行う。続いてステップＳ８１２で、プリンタ部１３０に印刷中断指示を行う。ステップＳ８１３ではプリンタ部１３０のエラーが解消されたかどうかが判定される。ユーザーによってエラーが解消されるまでは、ステップＳ８１３の判定結果はＮｏであるので、ステップＳ８１３をループする。ユーザーによってエラーが解消されると、ステップＳ８１３の判定結果がＹｅｓとなるので、パネル部１５０のエラーの表示を消去して、ステップＳ８０１に戻る。
【００６４】
次に、図９に示す、本発明の複合機通信管理部のＦＡＸバックアップデータ保存に係る制御のフローチャートを説明する。ステップＳ９００で、複合機通信管理部３００のＦＡＸバックアップデータ保存処理が開始される。なお、ここでの説明では、簡単のために分割印刷処理された場合のＦＡＸバックアップデータの保存については割愛している。ステップＳ９０１で制御部１１０からのＦＡＸ文書Ｘの第ｎページ目のＦＡＸバックアップデータを受信すると、ステップＳ９０２で第ｎページ目が未保存ページであるかどうかが判定される。ステップＳ９０２における判定の結果、当該ページが未保存である場合には、ステップＳ９０３へと進み、受信した第ｎページのＦＡＸバックアップデータを保存し、さらにステップＳ９０４へと進み、保存処理を終了する。ステップＳ９０２における判定の結果、当該ページが既に保存されている場合には、ステップＳ９０４へと進み、保存処理を終了する。このように、本発明における複合機通信管理部３００は、保存していないＦＡＸバックアップデータだけを保存する（重複するＦＡＸバックアップデータは読み捨てる）ので、プリンタエラー発生後も適切なリカバリ処理が可能となる。
【００６５】
以上、本発明によれば、ＦＡＸ受信文書データを不必要に長時間ＦＡＸ部メモリ１２１上に保持し続けることがないため、メモリの使用効率が向上し、したがって、ＦＡＸ受信文書の印刷処理速度を低下させることがない。
【００６６】
次に、送信元のＦＡＸ機の読み取り機構部に問題があり、間延びしたデータを送信してしまい、受信した複合機１００側でこの間延びしたデータを分割して印刷する場合について説明する。例えば、送信元のＦＡＸ機がジャムを発生しつつ、原稿を読み込んでデータが間延びしてしまうことがある。図２は、送信元のＦＡＸ機で送信する原稿を示す図である。このような原稿を送信する際、送信元のＦＡＸ機において、上記のような読み取り機構部に問題があり、原稿データが間延びしてしまうことがある。図３は、送信元のＦＡＸ機で図２に示す原稿を読み取り、原稿データが間延びした状態を示す図である。以下、このように間延びしてまった原稿データを、間延びデータという。
【００６７】
ＦＡＸ機の中には、このような間延びデータを受信した場合に、間延びデータを分割して印刷する機能を有するものがある。本発明の複合機１００においても、このような間延びデータを分割して印刷する機能を有するものである。このような機能を具体的に説明する。図４は、複合機において図３に示す間延びデータを（Ａ）、（Ｂ）２つの用紙に分割して印刷した場合を示す図である。
【００６８】
間延びデータの分割印刷においては、まず間延びデータの第１ページ目についてはそのままを通常の用紙に印刷する。すなわち、図３の斜線が施されていない通常の１ページ分のデータを、1ページの用紙に印刷する。このようにして印刷されたものが、図４（Ａ）に示されている。
【００６９】
これに対して、間延びデータの第２ページ目の印刷においては、原稿の判読性のことを考慮して、間延び部のデータから、若干第１ページ目側にさかのぼったところから、印刷を行うようにする。すなわち、図３に示す間延びデータの間延び部である斜線が施されているデータに加えて、余裕部分（数ライン分）に相当するデータを追加した上で、第２ページ目の印刷を行う。
【００７０】
なお、以上の例においては、１ページ分の原稿データが２ページ以内のデータに間延びする場合について説明したが、１ページ分の原稿データが３ページ分以上に間延びすることもある。
【００７１】
以上のような間延びデータを分割印刷したときに、これをどのようなバックアップデータとして複合機通信管理部３００に保存するかについて検討する。複合機１００及び複合機通信管理部３００において通常の制御を採用すると、図４の（Ａ）に対応するバックアップデータ、及び、（Ｂ）に対応するバックアップデータの２つのバックアップデータが複合機通信管理部３００に保存されることとなる。しかし、これらの２つのバックアップデータは、本来、送信元のＦＡＸ機においては、図２に示すような１ページの原稿であったので、用紙上の判読性が問題とならない電子データ形式の保存状態としては、２つのバックアップデータを１つのバックアップデータにまとめておくことが理想的となる。また、図２に示す１ページ分の原稿内容が２つのバックアップデータに分割されてしまうのでは、情報処理機器上での取扱性も悪い、という観点からも、これら２つのバックアップデータを、図５に示すような１つのバックアップデータにまとめておくことが理想的となる。本発明の実施の形態に係る複合機及び複合機通信管理部の制御方法においては、このようなことが考慮された上でバックアップデータの保存を行うようにする。
【００７２】
図１０は、本発明の実施の形態に係る複合機及び複合機通信管理部の制御シーケンスを示す図である。図１０の制御シーケンス図には、図６のシーケンス図において登場する制御部１１０、ＦＡＸ部１２０、プリンタ部１３０、複合機通信管理部３００に、ＦＡＸ送信元が加わる。また、図１０におけるシーケンス図は、送信元のＦＡＸ機からｎページ目に間延びデータが入っている場合を示すものである。
【００７３】
まずステップＳ１０００において、複合機１００の制御部１１０はＦＡＸ部１２０に対して予め印刷用紙のサイズを通知する。また、ステップＳ１００１において制御部１１０は複合機通信管理部３００に対して、重ね合わせ幅を通知する。なお、この「重ね合わせ幅」とは、分割印刷に関連する説明において「余裕部分」として説明した数ライン分に相当する部分のことをいう。以下、「余裕部分」とはいわず、この「重ね合わせ幅」を用いることとする。
【００７４】
ステップ１００２で、ＦＡＸ送信が開始される。途中省略して、ステップＳ１００３におけるｎページ目の送信データは分割印刷が必要となるものであるので、ＦＡＸ部１２０では、そのＦＡＸ部メモリ１２１上にｎページ目を分けて格納する。ステップＳ１００４では、ｎの１ページ目をＦＡＸ部メモリ１２１上に分割格納し、ステップＳ１００５では、ｎの２ページ目をＦＡＸ部メモリ１２１上に分割格納している。
【００７５】
なお、送信元のＦＡＸ機が、複合機１００側で分割印刷が必要となるという情報を通知するＦＡＸ通信プロトコルを採用している場合は、複合機１００はその情報を参照してｎページ目を分割格納すればよいし、送信元のＦＡＸ機がそのようなＦＡＸ通信プロトコルを採用していない場合は、ファクシミリ装置の分野で周知の分割印刷の要領を用いてｎページ目をメモリに分割格納すればよい。
【００７６】
ステップＳ１００６で、送信元のＦＡＸ機からＦＡＸ部１２０に送信終了が報知されると、ＦＡＸ部１２０はステップ１００７で、制御部１１０に対してＦＡＸ受信が完了したことを通知する。すると、ステップＳ１００８では、制御部１１０はＦＡＸ印刷を開始する旨プリンタ部１３０に通知する。
【００７７】
ステップＳ１００９で、ＦＡＸ部１２０から制御部１１０にｎの１ページ目の文書データが送信さえると、ステップＳ１０１０で制御部１１０からプリンタ部１３０にｎの１ページ目の印刷指示がなされる。ステップＳ１０１１では、複合機１００の制御部１１０からｎの１ページ目のＦＡＸバックアップデータが複合機通信管理部３００に転送される。
【００７８】
同様に、ステップＳ１０１２で、ＦＡＸ部１２０から制御部１１０にｎの２ページ目の文書データが送信さえると、ステップＳ１０１３で制御部１１０からプリンタ部１３０にｎの２ページ目の印刷指示がなされる。ステップＳ１０１４では、複合機１００の制御部１１０からｎの２ページ目のＦＡＸバックアップデータが複合機通信管理部３００に転送される。ここで、複合機通信管理部３００は、ｎの１ページ目のＦＡＸバックアップデータ及びｎの２ページ目のＦＡＸバックアップデータを受けると、これらのバックアップデータを合成して保存するように構成される。
【００７９】
ステップＳ１０１５で、制御部１１０はプリンタ部１３０からｎの１ページ目の印刷完了の通知を受けると、ステップＳ１０１６で、ＦＡＸ部１２０にＦＡＸ部メモリ１２１上からｎの１ページ目のデータを破棄するように要求する。
【００８０】
同様に、ステップＳ１０１７で、制御部１１０はプリンタ部１３０からｎの２ページ目の印刷完了の通知を受けると、ステップＳ１０１８で、ＦＡＸ部１２０にＦＡＸ部メモリ１２１上からｎの２ページ目のデータを破棄するように要求する。途中を省略するが、全てのＦＡＸ文書データの印刷が完了すると、ステップＳ１０１９で制御部１１０はプリンタ部１３０に対して、ＦＡＸ印刷が終了した旨通知する。
【００８１】
次に、本発明の実施の形態に係る複合機及び複合機通信管理部の分割印刷処理が発生した場合の制御フローチャートについて説明する。
【００８２】
図１１は、本発明の複合機におけるＦＡＸ部の受信処理に係る制御のフローチャートを示す図であり、図１２は、本発明の複合機通信管理部における分割印刷処理発生時のＦＡＸバックアップデータ保存処理に係るフローチャートを示す図である。以下、これらのフローチャートについて説明する。図１１のＦＡＸ部１２０の受信処理については、受信データを如何にＦＡＸ部メモリ１２１に分割格納をするかがポイントとなる。なお、図１１のＦＡＸ部１２０の受信処理については最新のＦＡＸ通信プロトコルが想定されており、文書データ受信時にＦＡＸ部１２０には受信総ライン数が通知されるものとする。古いＦＡＸ通信プロトコルが用いられる場合には、受信総ライン数は全ての受信後に判明するが、そのよう場合には、受信処理後に図１１のフローチャートを実行するように構成すればよい。
【００８３】
図１１において、複合機１００のＦＡＸ部１２０のＦＡＸ文書の受信が開始されると、ステップＳ１１００のフローチャートの処理が開始される。次に、ステップＳ１１０１において、ｎページ目の受信を開始する。ステップＳ１１０２においては、「受信残ライン数Ｒ」なるパラメーターを定義し、この受信残ライン数Ｒに、ｎページ目受信時の受信ページライン数をセットする。ステップＳ１１０３においては、「受信可ライン数Ｓ」なるパラメーターを定義し、この受信可ライン数Ｓに、印刷用紙のライン数をセットする。
【００８４】
次に、ステップＳ１１０４においてＲ≦Ｓを満たすかどうかが判定される。ステップＳ１１０４において、Ｒ≦Ｓを満足すれば、ステップＳ１１０５へと進み、Ｒ≦Ｓを満足しないときは、ステップＳ１１０８へと進む。
【００８５】
受信可ライン数Ｓは印刷用紙のライン数であるので、Ｒ≦Ｓを満足するということは、受信したライン数のデータは印刷用紙に収まる（すなわち、分割印刷不要）、ということなので、ステップＳ１１０５においては、Ｒラインをそのままｎの１ページ目として格納する。
【００８６】
続いてステップＳ１１０６へと進み、次の受信ページがないかどうかが判定される。ステップＳ１１０６において次の受信ページがあると判定されると、再びステップＳ１１０１へと戻る。ステップＳ１１０６において次の受信ページはないと判定されると、ステップＳ１１０７へと進む。ステップＳ１１０７では、制御部１１０にＦＡＸ文書データの受信が完了したことを通知して、ステップＳ１１１８で受信処理を終了する。
【００８７】
次に、ステップＳ１１０４においてＲ≦Ｓを満足しないと判定され、ステップＳ１１０８へと進む場合について説明する。受信可ライン数Ｓは印刷用紙のライン数であるので、Ｒ≦Ｓを満足せず、ステップＳ１１０８へと進む場合は、受信したライン数のデータは印刷用紙に収まらず、すなわち、分割印刷が必要であり、その準備のため、ｎページ目のデータはＦＡＸ部メモリ１２１に、ｎの１ページ、ｎの２ページ、ｎの３ページ・・・・というように分割して格納しなくてはならい、ということを意味している。
【００８８】
図１４は、本発明の複合機におけるＦＡＸ部の分割受信処理を説明する図である。図１４は、原稿１ページ分のデータが略２．５ページ分のデータに間延びしてしまった場合、この間延びデータを分割格納する様子を示している。図１４において、一番左の矩形は間延びデータ（Ａ）、その右隣の矩形はｎの１ページのデータ（Ｂ）、その右隣の矩形はｎの２ページのデータ（Ｃ）、一番右の矩形がｎの３ページのデータ（Ｄ）を示している。図１４の間延びデータを例にとり、図１１のフローチャートで分割格納するステップを説明する。
【００８９】
ステップＳ１１０４においてＲ≦Ｓを満足しないと判定され、ステップＳ１１０８へと進むと、分割番号Ｘで定義されるパラメーターに１がセットされる。この分割番号ｘは、ｎページをいくつに分割するかを示す数となる。
【００９０】
続いて、ステップＳ１１０９へと進み、まず印刷用紙のライン数であるＳラインを受信してｎの１ページ目として格納する。この様子を示したのが、図１４の（Ｂ）である。ｎの２ページ目以降の格納においては、前述の重ね合わせ幅を足した上で、ＦＡＸ部メモリ１２１に格納する必要がある。
【００９１】
次に、ステップＳ１１１０において、Ｒ＝Ｒ―Ｓが計算される。図１４の例では、この値はＲ’に示されている。続いて、ステップＳ１１１１においては、重ね合わせ幅ライン数をｄとして、Ｓ＝Ｓ―ｄが計算される。図１４の例では、この値はＳ’に示されている。ステップＳ１１１２に進み、分割番号ｘが１インクリメントされる。ステップＳ１１１３においては、最後に受信した重ね合わせ幅分をｎのｘページとして格納する。図１４の例では、この段階でｘ＝２となっており、最後に受信した重ね合わせ幅は図１４（ｃ）の斜線部分である。ステップＳ１１１３においては、この斜線部分に相当するデータが、ｎの２ページ目のメモリ領域に格納される。
【００９２】
続いて、ステップＳ１１１４において、Ｒ≦Ｓを満たすかどうかが判定される。ステップＳ１１１４において、Ｒ≦Ｓを満足すれば、ステップＳ１１１５へと進み、Ｒ≦Ｓを満足しないときは、ステップＳ１１１６へと進む。
【００９３】
図１４を例にとると、ｎの１ページ目だけを格納した段階では、Ｒ≦Ｓを満足していない。そこで、ステップＳ１１１６へと進む。ステップＳ１１１６では、Ｓライン受信して、ｎのｘページ目に追加格納される。図１４の例では、ｎの２ページ目のメモリ領域に、図１４（Ｃ）の斜線部以降のＳ’で示されている部分が追加格納されることとなる。続いて、ステップＳ１１１７において、Ｒ＝Ｒ―Ｓが計算される。図１４の例では、この値はＲ’ ’に示されている。
【００９４】
図１４の例では、続いてステップＳ１１１２に戻ることなる。ステップＳ１１１２では、ｘが１インクリメントされ、図１４の例では、この段階でｘ＝３となる。続くステップＳ１１１３においては、最後に受信した重ね合わせ幅分をｎのｘページとして格納する。図１４の例では、この段階でｘ＝３となっており、最後に受信した重ね合わせ幅は図１４（Ｄ）の斜線部分である。ステップＳ１１１３においては、この斜線部分に相当するデータが、ｎの３ページ目のメモリ領域に格納される。
【００９５】
続いて、ステップＳ１１１４において、Ｒ≦Ｓを満たすかどうかが判定される。図１４を例にとると、ｎの２ページ目を格納した段階では、Ｒ≦Ｓを満足するので、ステップＳ１１１５へと進む。ステップＳ１１１５では、Ｒライン受信して、ｎのｘページ目に追加格納される。図１４の例では、ｎの３ページ目のメモリ領域に、図１４（Ｄ）の斜線部以降のＲ’ ’に相当するライン分が追加格納されることとなる。ステップＳ１１１５に引き続いてステップＳ１１０６へと進み、次の受信ページがないかどうか判定される。以後は、先に説明したとおりである。
【００９６】
次に、複合機通信管理部３００側の保存処理について説明する。図１２は、本発明の複合機通信管理部における分割印刷処理発生時のＦＡＸバックアップデータ保存処理に係るフローチャートを示す図であり、以下、このフローチャートについて説明する。
【００９７】
ステップＳ１２０１で制御部１１０からのＦＡＸ文書Ｘの第ｎページ目のＦＡＸバックアップデータを受信すると、ステップＳ１２０２で第ｎページ目が未保存ページであるかどうかが判定される。ステップＳ１２０２における判定の結果、当該ページが未保存である場合には、ステップＳ１２０３へと進む。ステップＳ１２０２における判定の結果、当該ページが既に保存されている場合には、ステップＳ１２０６へと進み、保存処理を終了する。
【００９８】
ステップＳ１２０３においては、ｎの１ページ目でるかどうかが判定される。ステップＳ１２０３において判定結果がＹｅｓである場合には、ステップＳ１２０４へと進み、ｎページ目として新規保存される。Ｓ１２０３において判定結果がＮｏである場合には、ステップＳ１２０５へと進み、重ね合わせ幅を除去した上でｎページ目として合成保存される。次に、ステップＳ１２０６へと進み、保存処理を終了する。
【００９９】
図１４を例に、図１２のフローチャートに則ったＦＡＸバックアップデータ保存処理の様子を説明する。図１４において、（Ｂ）はｎの１ページのＦＡＸバックアップデータ、（Ｃ）はｎの２ページのＦＡＸバックアップデータ、（Ｄ）ｎの３ページのＦＡＸバックアップデータであるものとし、これらのデータから、一番左の矩形に示すバックアップデータを生成するものとする。（Ｂ）＋（Ｃ）＋（Ｄ）と合成していく上では、斜線部分で示される重ね合わせ幅ライン数ｄに相当するデータは不要なものである。したがって、図１２のフローチャートにおいてはステップＳ１２０５に示すステップを実行し、この重ね合わせ幅を除去するものである。
【０１００】
以上のように、本発明によれば、分割印刷処理したデータを複合機通信管理部３００において１ページのデータとして保存することができる。
【０１０１】
以上のような本発明の複合機及び複合機通信管理部の制御シーケンスによって、（I）、（II）、（III）からなる送信文書を分割印刷した場合の動作タイミングを示す。ここで、図１３は、本発明の実施の形態に係る複合機及び複合機通信管理部の制御による各部の動作タイミングを示す図である。図１３は、送信元のＦＡＸ機で（I）、（III）に間延びが発生してしまい、複合機側でこれらを分割して印刷する場合を示している。
【０１０２】
図１３において、最上段はＦＡＸ送信元から公衆回線網へのデータ転送タイミングを、第２段目は公衆回線網から複合機１００のＦＡＸ部１２０（ＦＡＸ部メモリ１２１）へのデータ転送タイミングを、また、第３段目はＦＡＸ部１２０（ＦＡＸ部メモリ１２１）から制御部１１０（制御部メモリ１１１）へのデータ転送タイミングを、また、第４段目は制御部１１０（制御部メモリ１１１）からプリンタ部１３０へのデータ転送タイミングを、また、第５段目はプリンタ部１３０における実印刷タイミングを、また、最下段は複合機１００の制御部１１０から複合機通信管理部３００へのデータ転送タイミングをそれぞれ示している。
【０１０３】
以上、本発明によれば、ＦＡＸ受信文書データを不必要に長時間ＦＡＸ部のメモリ上に保持し続けることがないため、メモリの使用効率が向上し、したがって、ＦＡＸ受信文書の印刷処理速度を低下させることがない。また、本発明によれば、分割印刷処理したデータを複合機通信管理部において１ページのデータとして保存することができる。
【図面の簡単な説明】
【０１０４】
【図１】本発明の実施の形態に係る複合機及び複合機通信管理部のシステム構成を示す図である。
【図２】送信元のＦＡＸ機で送信する原稿を示す図である。
【図３】送信元のＦＡＸ機で図２に示す原稿を読み取り、原稿データが間延びした状態を示す図である。
【図４】複合機において図３に示す間延びデータを（Ａ）、（Ｂ）２つの用紙に分割して印刷した場合を示す図である。
【図５】間延びデータの理想的なバックアップデータを示す図である。
【図６】本発明の実施の形態に係る複合機及び複合機通信管理部の制御シーケンスを示す図である。
【図７】本発明の実施の形態に係る複合機及び複合機通信管理部の制御による各部の動作タイミングを示す図である。
【図８】本発明の複合機における制御部のＦＡＸ受信文書印刷に係る制御のフローチャートを示す図である。
【図９】本発明の複合機通信管理部のＦＡＸバックアップデータ保存に係る制御のフローチャートを示す図である。
【図１０】、本発明の実施の形態に係る複合機及び複合機通信管理部の制御シーケンスを示す図である。
【図１１】本発明の複合機におけるＦＡＸ部の受信処理に係る制御のフローチャートを示す図である。
【図１２】本発明の複合機通信管理部における分割印刷処理発生時のＦＡＸバックアップデータ保存処理に係るフローチャートを示す図である。
【図１３】本発明の実施の形態に係る複合機及び複合機通信管理部の制御による各部の動作タイミングを示す図である。
【図１４】本発明の複合機におけるＦＡＸ部の分割受信処理を説明する図である。
【符号の説明】
【０１０５】
１０・・・ネットワーク、１００・・・複合機、１１０・・・制御部、１１１・・・制御部メモリ、１２０・・・ＦＡＸ部、１２１・・・ＦＡＸ部メモリ、１３０・・・プリンタ部、１４０・・・スキャナ部、１５０・・・パネル部、２００・・・パーソナルコンピュータ、２１０・・・ＦＡＸ連携ソフトウエア、３００・・・複合機通信管理部
【図１】
2008172397.tif 000003
【図２】
2008172397.tif 000004
【図３】
2008172397.tif 000005
【図４】
2008172397.tif 000006
【図５】
2008172397.tif 000007
【図６】
2008172397.tif 000008
【図７】
2008172397.tif 000009
【図８】
2008172397.tif 000010
【図９】
2008172397.tif 000011
【図１０】
2008172397.tif 000012
【図１１】
2008172397.tif 000013
【図１２】
2008172397.tif 000014
【図１３】
2008172397.tif 000015
【図１４】
2008172397.tif 000016